(57)【要約】【課題】  ペットの毛づくろいすることができるとともに、紙資源を廃棄することなく、衣服やカーペットなどに付着したペットの抜け毛を含む塵埃を除去することができるペット用ブラシ兼用清掃具を提供する。【解決手段】  本発明に係るペット用ブラシ兼用清掃具１は、内部に空間を有するとともに外部に連通する第一の開口２１ｂを有し、その表面に弾性を有するピン状の毛から成るペット用ブラシ２６が立設された筐体２１と、筐体２１の内部に収容されるとともに開口２１ｂを介して出没可能に設けられた第一の基板２２とを備える。第一の基板２２の板面に傾斜パイルから成る捕塵ブラシ２３が設けられており、筐体２１の内部には、傾斜パイルから成り、捕塵ブラシ２３に当接するよう位置する除塵ブラシ２４が設けられており、捕塵ブラシ２３および除塵ブラシ２４の傾斜パイルが、ともに第一の開口２１ｂから筐体２１の内部に向く方向に傾斜している。【選択図】  図１
2011156169.tif 000002
【特許請求の範囲】
【請求項１】
基体と、
前記基体の第一ブラシ面に設けられ、第一の方向に傾斜する傾斜パイルから成る捕塵ブラシと、
前記基体の第二ブラシ面に立設され、弾性を有するピン状の毛から成るペット用ブラシとを備える
ことを特徴とするペット用ブラシ兼用清掃具。
【請求項２】
前記第一ブラシ面に対向する第三ブラシ面に設けられ、前記第一の方向に傾斜する傾斜パイルから成る除塵ブラシをさらに備え、
前記除塵ブラシは前記捕塵ブラシに当接しており、
前記第三ブラシ面が前記第一の方向に沿って往復移動可能に設けられている
ことを特徴とする請求項１に記載のペット用ブラシ兼用清掃具。
【請求項３】
前記基体が、
その内部に空間を有するとともに外部に連通する第一の開口を有する筐体と、
前記筐体の内部に収容されるとともに前記第一の開口を介して出没可能に設けられ、その板面に前記第一ブラシ面が設けられた第一の基板とを備え、
前記筐体の内部に前記第三ブラシ面が設けられており、
前記第一の方向が、前記第一の開口から前記筐体の内部に向く方向である
ことを特徴とする請求項２に記載のペット用ブラシ兼用清掃具。
【請求項４】
前記筐体が、その内部の空間と外部とを連通する第二の開口を有し、
前記基体が、前記筐体の内部に収容されるとともに前記第二の開口を介して出没可能に設けられ、その板面に前記第二ブラシ面が設けられた第二の基板をさらに備え、
前記筐体の内部に、前記第二ブラシ面に対向する第四ブラシ面が設けられており、
前記第四ブラシ面に、弾性を有するピン状の毛から成る除毛ブラシが立設されており、
前記除毛ブラシは前記第二ブラシ面に向けて延びるとともに第二の方向に傾斜しており、
前記ペット用ブラシと前記除毛ブラシとが毛の長さ方向に互いに重なり合っており、
前記第二の方向が、前記第二の開口から前記筐体の内部に向く方向である
ことを特徴とする請求項３に記載のペット用ブラシ兼用清掃具。
【請求項５】
前記第一の基板の板面における、前記第一ブラシ面の裏側に前記第二ブラシ面が設けられており、
前記筐体の内部に、前記第二ブラシ面に対向する第四ブラシ面が設けられており、
前記第四ブラシ面に、弾性を有するピン状の毛から成る除毛ブラシが立設されており、
前記除毛ブラシは前記第二ブラシ面に向けて延びるとともに前記第一の方向に傾斜しており、
前記ペット用ブラシと前記除毛ブラシとが毛の長さ方向に互いに重なり合っている
ことを特徴とする請求項３に記載のペット用ブラシ兼用清掃具。
【請求項６】
前記第二ブラシ面に対向する第四ブラシ面に立設され、弾性を有するピン状の毛から成る除毛ブラシをさらに備え、
前記除毛ブラシは前記第二ブラシ面に向けて延びるとともに第二の方向に傾斜しており、
前記ペット用ブラシと前記除毛ブラシとが毛の長さ方向に互いに重なり合っており、
前記第四ブラシ面が前記第二の方向に沿って往復移動可能に設けられている
ことを特徴とする請求項１または２に記載のペット用ブラシ兼用清掃具。
【請求項７】
前記基体が、
その内部に空間を有するとともに外部に連通する第二の開口を有する筐体と、
前記筐体の内部に収容されるとともに前記第二の開口を介して出没可能に設けられ、その板面に前記第二ブラシ面が設けられた第二の基板とを備え、
前記筐体の内部に前記第四ブラシ面が設けられており、
前記第二の方向が、前記第二の開口から前記筐体の内部に向く方向である
ことを特徴とする請求項６に記載のペット用ブラシ兼用清掃具。
【発明の詳細な説明】
【技術分野】
【０００１】
本発明は、ペットの毛づくろい用ブラシとして使用されるとともに、飼い主の衣服に付着したペットの抜け毛など除去することができる、ペット用ブラシ兼用清掃具に関する。
【背景技術】
【０００２】
ペットの毛づくろい用ブラシとして、いわゆるスリッカーブラシなどのペット用ブラシが広く用いられている。このペット用ブラシで犬や猫の体毛をブラッシングすると、しばしば抜け毛が飼い主の衣服やカーペットに付着する。そのため、従来は衣服などに付着した抜け毛を取り除くための清掃用具を、別途必要としていた。
【０００３】
一方、特許文献１に記載されているような、ブラシの背面に粘着テープが積層されて設けられたペット用ブラシが知られている。また、特許文献２に記載されているような、ブラシの背面にロール状の粘着テープが設けられたペット用ブラシも知られている。これらのペット用ブラシは、背面の粘着テープを用いて衣服などに付着した抜け毛などを除去することができ、別途清掃用具を必要としないという特徴がある。
【０００４】
しかし、特許文献１に記載のペット用ブラシは、ブラシでありながら衣服などに付着した抜け毛をブラッシングして除去することはできず、抜け毛が粘着テープに移るよう、被清掃面に対して垂直に接離するよう動かす必要があった。また、ペットの体毛をブラッシングしている最中に粘着テープがペットの体毛に粘着し、ペットに苦痛を与えるおそれがあった。さらに、抜け毛を捕集し終えると粘着テープを一枚一枚剥がして捨てる必要があり、この処理が使用者への負担となっていた。また、捕集した抜け毛以上の紙資源のゴミを排出することになるため、ゴミの総量すなわち廃棄される紙資源の総量が増えるいう問題があった。
【０００５】
一方、特許文献２に記載のペット用ブラシは、ロール状の粘着テープを衣服に密着させて転がすことにより、抜け毛を除去することが可能となっている。しかし、ロール状の粘着テープを含めた装置全体として大きいため、ペットの散歩などの際に持ち歩くのに不便であるという問題があった。また、特許文献１に記載のペット用ブラシと同様に、ブラッシングの最中に粘着テープがペットの体毛に粘着するおそれがあり、さらに廃棄される紙資源の総量が増えるという問題があった。
【先行技術文献】
【特許文献】
【０００６】
【特許文献１】実用新案登録第３１０１６５１号公報
【特許文献２】特開２００８−２７９０９７号公報
【発明の概要】
【発明が解決しようとする課題】
【０００７】
そこで、本発明が解決しようとする課題は、ペットの毛づくろいをすることができるとともに、衣服やカーペットなどに付着したペットの抜け毛などの塵埃を除去することができる、ペット用ブラシ兼用清掃具を提供することである。
【課題を解決するための手段】
【０００８】
本発明は、前記課題を解決するためになされたもので、請求項１に記載の発明は、基体と、前記基体の第一ブラシ面に設けられ、第一の方向に傾斜する傾斜パイルから成る捕塵ブラシと、前記基体の第二ブラシ面に立設され、弾性を有するピン状の毛から成るペット用ブラシとを備えることを特徴とするペット用ブラシ兼用清掃具である。
【０００９】
請求項１に記載の発明によれば、ペットに苦痛を与えることなく毛づくろいすることができるとともに、紙資源を廃棄することなく、衣服やカーペットなどに付着したペットの抜け毛を含む塵埃を除去することができるペット用ブラシ兼用清掃具を提供することができる。
【００１０】
請求項２に記載の発明は、前記第一ブラシ面に対向する第三ブラシ面に設けられ、前記第一の方向に傾斜する傾斜パイルから成る除塵ブラシをさらに備え、前記除塵ブラシは前記捕塵ブラシに当接しており、前記第三ブラシ面が前記第一の方向に沿って往復移動可能に設けられていることを特徴とする請求項１に記載のペット用ブラシ兼用清掃具である。
【００１１】
請求項２に記載の発明によれば、塵埃が付着した捕塵ブラシと除塵ブラシとを当接させて摺動させることにより、塵埃を捕塵ブラシから取り除くことができるペット用ブラシ兼用清掃具を提供することができる。
【００１２】
請求項３に記載の発明は、前記基体が、その内部に空間を有するとともに外部に連通する第一の開口を有する筐体と、前記筐体の内部に収容されるとともに前記第一の開口を介して出没可能に設けられ、その板面に前記第一ブラシ面が設けられた第一の基板とを備え、前記筐体の内部に前記第三ブラシ面が設けられており、前記第一の方向が、前記第一の開口から前記筐体の内部に向く方向であることを特徴とする請求項２に記載のペット用ブラシ兼用清掃具である。
【００１３】
請求項３に記載の発明によれば、第一の基板を筐体の内部に出し入れすることにより、捕塵ブラシに付着した塵埃を筐体の内部の空間に移送し収容することが可能なペット用ブラシ兼用清掃具を提供することができる。
【００１４】
請求項４に記載の発明は、前記筐体が、その内部の空間と外部とを連通する第二の開口を有し、前記基体が、前記筐体の内部に収容されるとともに前記第二の開口を介して出没可能に設けられ、その板面に前記第二ブラシ面が設けられた第二の基板をさらに備え、前記筐体の内部に、前記第二ブラシ面に対向する第四ブラシ面が設けられており、前記第四ブラシ面に、弾性を有するピン状の毛から成る除毛ブラシが立設されており、前記除毛ブラシは前記第二ブラシ面に向けて延びるとともに第二の方向に傾斜しており、前記ペット用ブラシと前記除毛ブラシとが毛の長さ方向に互いに重なり合っており、前記第二の方向が、前記第二の開口から前記筐体の内部に向く方向であることを特徴とする請求項３に記載のペット用ブラシ兼用清掃具である。
【００１５】
請求項４に記載の発明によれば、第一の基板を筐体の内部に出し入れすることにより、捕塵ブラシに付着した塵埃を筐体の内部の空間に移送し収容するとともに、第二の基板を筐体の内部に出し入れすることにより、ペット用ブラシに付着したペットの抜け毛などを筐体の内部の空間に移送し収容することが可能な、ペット用ブラシ兼用清掃具を提供することができる。
【００１６】
請求項５に記載の発明は、前記第一の基板の板面における、前記第一ブラシ面の裏側に前記第二ブラシ面が設けられており、前記筐体の内部に、前記第二ブラシ面に対向する第四ブラシ面が設けられており、前記第四ブラシ面に、弾性を有するピン状の毛から成る除毛ブラシが立設されており、前記除毛ブラシは前記第二ブラシ面に向けて延びるとともに前記第一の方向に傾斜しており、前記ペット用ブラシと前記除毛ブラシとが毛の長さ方向に互いに重なり合っていることを特徴とする請求項３に記載のペット用ブラシ兼用清掃具である。
【００１７】
請求項５に記載の発明によれば、第一の基板を筐体の内部に出し入れすることにより、捕塵ブラシに付着した塵埃およびペット用ブラシに付着したペットの抜け毛などを筐体の内部の空間に移送し収容することが可能なペット用ブラシ兼用清掃具を提供することができる。
【００１８】
請求項６に記載の発明は、前記第二ブラシ面に対向する第四ブラシ面に立設され、弾性を有するピン状の毛から成る除毛ブラシをさらに備え、前記除毛ブラシは前記第二ブラシ面に向けて延びるとともに第二の方向に傾斜しており、前記ペット用ブラシと前記除毛ブラシとが毛の長さ方向に互いに重なり合っており、前記第四ブラシ面が前記第二の方向に沿って往復移動可能に設けられていることを特徴とする請求項１または２に記載のペット用ブラシ兼用清掃具である。
【００１９】
請求項６に記載の発明によれば、ペットの抜け毛などが付着したペット用ブラシと除毛ブラシとを、毛の長さ方向に互いに重なり合った状態で動かすことにより、抜け毛などをペット用ブラシから取り除くことができるペット用ブラシ兼用清掃具を提供することができる。
【００２０】
請求項７に記載の発明は、前記基体が、その内部に空間を有するとともに外部に連通する第二の開口を有する筐体と、前記筐体の内部に収容されるとともに前記第二の開口を介して出没可能に設けられ、その板面に前記第二ブラシ面が設けられた第二の基板とを備え、前記筐体の内部に前記第四ブラシ面が設けられており、前記第二の方向が、前記第二の開口から前記筐体の内部に向く方向であることを特徴とする請求項６に記載のペット用ブラシ兼用清掃具である。
【００２１】
請求項７に記載の発明によれば、第二の基板を筐体の内部に出し入れすることにより、ペット用ブラシに付着したペットの抜け毛などを筐体の内部の空間に移送し収容することが可能な、ペット用ブラシ兼用清掃具を提供することができる。
【発明の効果】
【００２２】
本発明によれば、ペットに苦痛を与えることなく毛づくろいすることができるとともに、紙資源を廃棄することなく、衣服やカーペットなどに付着したペットの抜け毛を含む塵埃を除去することができるペット用ブラシ兼用清掃具を提供するすることができる。
【図面の簡単な説明】
【００２３】
【図１】本発明の第一の実施形態に係るペット用ブラシ兼用清掃具を示す斜視図である。
【図２】図１におけるＡ−Ａ断面を示す断面図である。
【図３】図１におけるＡ−Ａ断面を示す断面図を用い、本発明に係るペット用ブラシ兼用清掃具の除塵作用を説明する説明図である。
【図４】本発明の第二の実施形態に係るペット用ブラシ兼用清掃具を示す斜視図である。
【図５】図４におけるＢ−Ｂ断面を示す断面図である。
【図６】本発明の第三の実施形態に係るペット用ブラシ兼用清掃具を示す斜視図である。
【図７】図６におけるＣ−Ｃ断面を示す断面図である。
【図８】本発明の第四の実施形態に係るペット用ブラシ兼用清掃具を示す斜視図である。
【図９】図８におけるＤ−Ｄ断面を示す断面図である。
【発明を実施するための形態】
【００２４】
つぎに、本発明の実施形態について図面に基づき説明する。なお、以下に述べる実施形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２５】
（第一の実施形態）
本発明の第一の実施形態に係るペット用ブラシ兼用清掃具を図１〜３に示す。図１はペット用ブラシ兼用清掃具の斜視図であり、図１（ａ）にペット用ブラシを上方に向けて見た斜視図を、図１（ｂ）にペット用ブラシを下方に向けて見た斜視図をそれぞれ示す。図２は、図１（ｂ）におけるＡ−Ａ断面を示す断面図であり、図２（ａ）に第一の基板を筐体から引き出した時の断面図を、図２（ｂ）に第一の基板を筐体に収納した時の断面図をそれぞれ示す。図３は、図１（ｂ）におけるＡ−Ａ断面を示す断面図であり、本発明に係るペット用ブラシ兼用清掃具の除塵作用を説明する説明図である。
【００２６】
１はペット用ブラシ兼用清掃具であり、基体２と捕塵ブラシ２３とペット用ブラシ２６とを主要な構成要素とする。基体２は、平面視矩形で直方体状の筐体２１と、矩形板状の第一の基板２２とから構成されており、筐体２１の厚さ方向の一の面である第二ブラシ面２１ｋからはペット用ブラシ２６が立設されている。筐体２１の内部には内部空間２１ａが形成されているとともに、筐体２１の幅方向の一の側面には第一の開口２１ｂが設けられており、第一の開口２１ｂを介して筐体２１の内部空間２１ａと外部とが連通している。また、筐体２１の厚さ方向の他の面、すなわちペット用ブラシ２６の背面側には、内部空間２１ａと連通する排塵口２１ｄが設けられており、排塵口２１ｄには蓋２１ｅが開閉可能に設けられている。
【００２７】
筐体２１の内部空間２１ａには、第一の基板２２が収容されており、第一の開口２１ｂを介して、幅方向に出没可能に設けられている。第一の基板２２の幅方向の一辺の少なくとも一部は第一の開口２１ｂから常時露出しており、第一の基板２２の幅方向の他辺には突起２２ｃが設けられており、第一の基板２２が第一の開口２１ｂから完全に露出して筐体２１から脱落しないよう構成されている。なお、筐体２１および第一の基板２２の材質は問わないが、ＰＰやＡＢＳなどの硬質プラスチックが好適に用いられる。
【００２８】
第一の基板２２の一の板面である第一ブラシ面２２ａには、捕塵ブラシ２３が設けられている。捕塵ブラシ２３は、第一の方向に傾斜する短毛の傾斜パイルから成り、ここで第一の方向は第一の開口２１ｂから内部空間２１ａに向かう方向である。捕塵ブラシ２３を構成する傾斜パイルの種類は特に問わないが、太さがφ０．１ｍｍ以下で長さが３ｍｍ以下のナイロン繊維から成る傾斜パイルが好適に用いられる。
【００２９】
筐体２１における第一の開口２１ｂよりやや内方側には、第一の基板２２の第一ブラシ面２２ａと対向する第三ブラシ面２１ｌに、長手方向に延びる帯状の除塵ブラシ２４が設けられている。除塵ブラシ２４は、捕塵ブラシ２３と同様に第一の開口２１ｂから内部空間２１ａに向かう第一の方向に傾斜する短毛の傾斜パイルから成る。除塵ブラシ２４を構成する傾斜パイルの種類は特に問わないが、太さがφ０．１ｍｍ以下で長さが３ｍｍ以下のナイロン繊維から成る傾斜パイルが好適に用いられる。除塵ブラシ２４は第一の基板２２の捕塵ブラシ２３に当接している。第一の基板２２は第一の開口２１ｂに嵌合しており、第一の基板２２は、捕塵ブラシ２３と除塵ブラシ２４との当接を維持したまま、筐体２１からの出没が可能となるよう構成されている。
【００３０】
なお、第一の基板２２を筐体２１から引き出すのを容易にするため、第一の開口２１ｂの周囲に窪みを設けたり、第一の基板２２を完全に押し込んだ状態でも第一の基板２２の板面が一部露出するよう第一の基板２２の幅長を筐体２１の幅長より若干長めに構成したり、第一の基板２２の幅方向の一辺に突起を設ける等、必要に応じて適宜行うことができる。
【００３１】
筐体２１の第二ブラシ面２１ｋに立設されているペット用ブラシ２６は、弾性を有するピン状の毛から成り、筐体２１とは別体に形成された毛を、筐体２１に別途結合することで構成することも可能であるが、筐体２１と一体に形成して、筐体２１から突出する多数の突起状に構成することも可能である。このように構成することによって低コストで製造することが可能となる。ペット用ブラシ２６の材質は問わないが、金属や、ＰＰやＡＢＳなどの硬質プラスチックが好適に用いられ、また、太さがφ０．５ｍｍ以上で長さが５ｍｍ以上の毛に形成するのが好適である。
【００３２】
なお、図示のペット用ブラシ兼用清掃具１においては、ペット用ブラシ２６が設けられている第二ブラシ面２１ｋと捕塵ブラシ２３が設けられている第一ブラシ面２２ａとが逆向きに配置されている。このように配置すると、捕塵ブラシ２３でブラッシングする際にペット用ブラシ２６が邪魔になることがない。しかし、ペット用ブラシ２６と捕塵ブラシ２３とを同じ方向に向けて配置することももちろん可能である。また、図示のペット用ブラシ兼用清掃具１においては、ペット用ブラシ２６が設けられている面と排塵口２１ｄおよび蓋２１ｅが設けられている面とが逆向きに配置されているが、ペット用ブラシ２６を蓋２１ｅに立設させて構成することも可能である。またさらに、排塵口２１ｄおよび蓋２１ｅを、板厚方向の面ではなく、幅方向の他の面、すなわち第一の開口２１ｂの背面や、長手方向の面に配置することも可能である。
【００３３】
次に第一の実施形態に係るペット用ブラシ兼用清掃具１の使用方法について、図３を参照しながら説明する。
【００３４】
犬や猫などのペットの毛づくろいをする場合、ペット用ブラシ兼用清掃具１の筐体２１を把持して、ペット用ブラシ２６を動かしてブラッシングする。ペットをブラッシングした後、ペットの抜け毛などの塵埃が衣服や床などに付着した場合は、ペット用ブラシ兼用清掃具１の捕塵ブラシ２３を用いて衣服や床などに付着した塵埃を取り除くことができる。以下に、衣服や床などの被清掃面の清掃について説明する。
【００３５】
まず、筐体２１から第一の基板２２を引き出して捕塵ブラシ２３を外部に露出させる。そして捕塵ブラシ２３を被清掃面に当接して、傾斜パイルの傾斜方向に向けてブラッシングする。すると被清掃面に付着していた塵埃は捕塵ブラシ２３にすくい取られ、捕塵ブラシ２３に付着する（図３（ａ）参照）。
【００３６】
次に、捕塵ブラシ２３に塵埃Ｄが付着した第一の基板２２を、筐体２１の奥に向けて押し込む。このとき捕塵ブラシ２３は除塵ブラシ２４と当接しながら摺動するが、捕塵ブラシ２３に付着している塵埃Ｄはまだ捕塵ブラシ２３に付着したままである（図３（ｂ）参照）。
【００３７】
次に、第一の基板２２を筐体２１から再び引き出す。このときも捕塵ブラシ２３は除塵ブラシ２４と当接しながら摺動するが、この場合は塵埃Ｄは除塵ブラシ２４にすくい取られ、除塵ブラシ２４に付着する（図３（ｃ）参照）。
【００３８】
次に基板２２を再び筐体２１の奥に向けて押し込む。このとき捕塵ブラシ２３は除塵ブラシ２４と当接しながら摺動するが、除塵ブラシ２４に付着している塵埃Ｄは捕塵ブラシ２３にすくい取られ、内部空間２１ａに放出される（図３（ｄ）参照）。
【００３９】
すなわち、捕塵ブラシ２３で被清掃面をブラッシングして塵埃Ｄを捕集した後に、第一の基板２２を繰り返し出し入れすることによって、塵埃Ｄは筐体２１の内部空間２１ａに移動し、そこに収容されることになる。
【００４０】
内部空間２１ａに収容された塵埃Ｄは、排塵口２１ｄから取り出すことができる。排塵口２１ｄには蓋２１ｅが開閉可能に設けられており、塵埃を排出する際に蓋２１ｅを開くと内部空間２１ａと外部とが連通するため、排塵口２１ｄを下に向けることで塵埃を排出することができる。
【００４１】
（第二の実施形態）
本発明の第二の実施形態に係るペット用ブラシ兼用清掃具を図４および図５に示す。なお、以下においては、第一の実施形態との相違点を中心に説明し、対応する箇所には同一の符号を付して説明する。
【００４２】
図４はペット用ブラシ兼用清掃具の斜視図であり、図４（ａ）にペット用ブラシを上方に向けて見た斜視図を、図４（ｂ）にペット用ブラシを下方に向けて見た斜視図をそれぞれ示す。図５は、図４（ｂ）におけるＢ−Ｂ断面を示す断面図であり、図５（ａ）に第一の基板を筐体から引き出した時の断面図を、図５（ｂ）に基板を筐体に収納した時の断面図をそれぞれ示す。
【００４３】
第二の実施形態に係るペット用ブラシ兼用清掃具１もまた、第一の実施形態と同様に、基体２と捕塵ブラシ２３とペット用ブラシ２６とを主要な構成要素とし、基体２は、平面視矩形で直方体状の筐体２１と、矩形板状の第一の基板２２とから構成されている。ここで、ペット用ブラシ２６は第一の基板２２に設けられており、具体的には、捕塵ブラシ２３が設けられている第一ブラシ面２２ａの裏側の第二ブラシ面２２ｂに立設されている。ペット用ブラシ２６は第一の実施形態と同様に形成される。そして第一の実施形態と同様に、筐体２１の内部空間２１ａには第一の基板２２が収容されており、第一の開口２１ｂを介して、幅方向に出没可能に設けられている。
【００４４】
また、第一の実施形態と同様、筐体２１における第一の開口２１ｂよりやや内方側には、第一の基板２２の第一ブラシ面２２ａと対向する第三ブラシ面２１ｌに、長手方向に延びる帯状の除塵ブラシ２４が設けられている。一方、筐体２１における第一の開口２１ｂよりやや内方側において、第一の基板２２の第二ブラシ面２２ｂと対向する第四ブラシ面２１ｍが設けられており、そこに弾性を有するピン状の毛から成る除毛ブラシ２７が立設されている。除毛ブラシ２７は第二ブラシ面２２ｂに向けて延びるとともに、第一の開口２１ｂから内部空間２１ａに向かう第一の方向に傾斜して設けられている。そして、ペット用ブラシ２６と除毛ブラシ２７とは毛の長さ方向に互いに重なり合っている。除毛ブラシ２７の材質はペット用ブラシ２６と同様とするのが好適である。なお、図示の除毛ブラシ２７は二列の毛で構成されているが、毛の列数は任意に設定できる。また、除毛ブラシ２７の毛のピッチは、ペット用ブラシ２６のピッチと同じピッチとしつつ、半ピッチずらして配置するのが好適である。
【００４５】
第一の基板２２は第一の開口２１ｂに嵌合しており、捕塵ブラシ２３と除塵ブラシ２４との当接を維持しつつ、またペット用ブラシ２６と除毛ブラシ２７とを毛の長さ方向に重ね合わせたたまま、第一の基板２２が筐体２１から出没できるよう構成されている。
【００４６】
次に第二の実施形態に係るペット用ブラシ兼用清掃具１の使用方法について、図５を参照しながら説明する。捕塵ブラシ２３および除塵ブラシ２４の作用は第一の実施形態と同様であるため、ここでは主にペット用ブラシ２６および除毛ブラシ２７の作用について説明する。
【００４７】
犬や猫などのペットの毛づくろいをする場合、ペット用ブラシ兼用清掃具１の筐体２１から第一の基板２２を引き出した状態で、筐体２１を把持し、ペット用ブラシ２６を動かしてブラッシングする。ペットをブラッシングした後、ペットの抜け毛がペット用ブラシ２６に付着する。
【００４８】
次に、ペット用ブラシ２６に抜け毛が付着した状態の第一の基板２２を、筐体２１の奥に向けて押し込む。このときペット用ブラシ２６は除毛ブラシ２７と毛の長さ方向に重なり合いながら、第一の開口２１ｂから内部空間２１ａに向けて、すなわち第一の方向に移動する。このとき、除毛ブラシ２７は第一の方向に傾斜しているため、ペット用ブラシ２６に付着している抜け毛は除毛ブラシ２７によって進行を妨げられることはなく、ペット用ブラシ２６に付着したままとなる。
【００４９】
次に、第一の基板２２を筐体２１から再び引き出す。このときペット用ブラシ２６は除毛ブラシ２７と毛の長さ方向に重なり合いながら内部空間２１ａからの第一の開口２１ｂに向けて移動するが、この場合、ペット用ブラシ２６に付着している抜け毛は第一の方向に傾斜している除毛ブラシ２７にすくい取られ、除毛ブラシ２７に付着する。
【００５０】
次に基板２２を再び筐体２１の奥に向けて押し込む。このときペット用ブラシ２６は除毛ブラシ２７と毛の長さ方向に重なり合いながら、第一の開口２１ｂから内部空間２１ａに向けて、すなわち第一の方向に移動するが、除毛ブラシ２７は第一の方向に傾斜しているため、除毛ブラシ２７に付着している抜け毛はペット用ブラシ２６によってすくい取られ、内部空間２１ａに放出される。
【００５１】
すなわち、ペット用ブラシ２６でペットをブラッシングして抜け毛が付着した後に、第一の基板２２を繰り返し出し入れすることによって、抜け毛は筐体２１の内部空間２１ａに移動し、そこに収容されることになる。また、捕塵ブラシ２３に塵埃が付着していた場合には、同じ動作によって、塵埃を内部空間２１ａに移動させてそこに収容させることができる。また、内部空間２１ａに収容された抜け毛および塵埃は、第一の実施形態と同様に、排塵口２１ｄから取り出すことができる。
【００５２】
（第三の実施形態）
本発明の第三の実施形態に係るペット用ブラシ兼用清掃具を図６および図７に示す。図６は本発明の第三の実施形態に係るペット用ブラシ兼用清掃具の斜視図であり、図７は図６におけるＣ−Ｃ断面を示す断面図である。
【００５３】
第三の実施形態に係るペット用ブラシ兼用清掃具１もまた、第一の実施形態と同様に、基体２と捕塵ブラシ２３とペット用ブラシ２６とを主要な構成要素としている。ここで基体２は、平面視矩形で直方体状の筐体２１と、矩形板状の第一の基板２２と、矩形板状の第二の基板２５とから構成されている。そして、筐体２１の内部には内部空間２１ａおよび内部空間２１ｈが形成されており、筐体２１の幅方向の一の側面には内部空間２１ａと連通する第一の開口２１ｂが設けられており、他の側面には内部空間２１ｈと連通する第二の開口２１ｃが設けられている。また、筐体２１の厚さ方向の一の面には、内部空間２１ａと連通する排塵口２１ｄが設けられており、排塵口２１ｄには蓋２１ｅが開閉可能に設けられているとともに、筐体２１の厚さ方向の他の面には、内部空間２１ｈと連通する排塵口２１ｆが設けられており、排塵口２１ｆには蓋２１ｇが開閉可能に設けられている。筐体２１の内部空間２１ａと内部空間２１ｈとは、隔壁２１ｉにより分け隔てられている。筐体２１の内部空間２１ａには、第一の基板２２が収容されており、第一の開口２１ｂを介して、幅方向に出没可能に設けられている。また、筐体２１の内部空間２１ｈには、第二の基板２５が収容されており、第二の開口２１ｃを介して、幅方向に出没可能に設けられている。
【００５４】
第一の実施形態と同様に、第一の基板２２の一の板面である第一ブラシ面２２ａには捕塵ブラシ２３が設けられており、筐体２１における第一の開口２１ｂよりやや内方側には、第一の基板２２の第一ブラシ面２２ａと対向する第三ブラシ面２１ｌに、長手方向に延びる帯状の除塵ブラシ２４が設けられている。捕塵ブラシ２３および除塵ブラシ２４の構成および配置は第一の実施形態と同様であり、いずれも第一の開口２１ｂから内部空間２１ａに向かう第一の方向に傾斜する傾斜パイルから成る。
【００５５】
第二の基板２５の一の板面には第二ブラシ面２５ａが設けられており、そこにペット用ブラシ２６が立設されている。ペット用ブラシ２６は第一の実施形態と同様に形成される。そして筐体２１における第二の開口２１ｃよりやや内方側において、第二の基板２５の第二ブラシ面２５ａと対向する第四ブラシ面２１ｍが設けられており、そこに弾性を有するピン状の毛から成る除毛ブラシ２７が立設されている。除毛ブラシ２７は第二ブラシ面２５ａに向けて延びるとともに、第二の開口２１ｃから内部空間２１ｈに向かう第二の方向に傾斜して設けられている。そして、ペット用ブラシ２６と除毛ブラシ２７とは毛の長さ方向に互いに重なり合っている。除毛ブラシ２７の材質はペット用ブラシ２６と同様に構成することが好適である。また、除毛ブラシ２７の毛の列数、ピッチは、第二の実施形態と同様である。
【００５６】
第一の基板２２は第一の開口２１ｂに嵌合しており、捕塵ブラシ２３と除塵ブラシ２４との当接を維持しつつ、第一の基板２２が筐体２１から出没できるよう構成されている。また、第二の基板２５は第二の開口２１ｃに嵌合しており、ペット用ブラシ２６と除毛ブラシ２７とを毛の長さ方向に重ね合わせたたまま、第二の基板２５が筐体２１から出没できるよう構成されている。
【００５７】
第三の実施形態に係るペット用ブラシ兼用清掃具１の使用方法について説明する。捕塵ブラシ２３および除塵ブラシ２４の作用は第一の実施形態と同様であり、ペット用ブラシ２６および除毛ブラシ２７の作用については第二の実施形態と同様である。すなわち、本実施形態においては、衣服になどに付着した塵埃を清掃するには、第一の基板２２を引き出して捕塵ブラシ２３でブラッシングし、その後第一の基板２２を繰り返し出し入れすることによって、捕塵ブラシ２３に付着した塵埃を内部空間２１ａに移動させてそこに収容させることができ、また、ペットの毛づくろいをするには、第二の基板２５を引き出してペット用ブラシ２６でブラッシングし、その後第二の基板２５を繰り返し出し入れすることによって、ペット用ブラシ２６に付着した抜け毛を内部空間２１ｈに移動させてそこに収容させることができる。
【００５８】
第三の実施形態のように、ペットの毛づくろいをするためのペット用ブラシ２６と、衣服に付着した塵埃を捕集する捕塵ブラシ２３とを、異なる基板に設けることにより、使用者は衛生的な不快感をもよおすことなく、ペット用ブラシ兼用清掃具１を使用することができる。
【００５９】
なお、図示のペット用ブラシ兼用清掃具１においては、内部空間２１ａと内部空間２１ｈとが隔壁２１ｉによって分割されているが、隔壁２１ｉを設けることなく一つの内部空間とすることも可能である。そのとき、排塵口および蓋をそれぞれ一つづつ設ければよい。
【００６０】
また、図示のペット用ブラシ兼用清掃具１においては、ペット用ブラシ２６が設けられている第二ブラシ面２５ａと捕塵ブラシ２３が設けられている第一ブラシ面２２ａとが逆向きに配置されているが、ペット用ブラシ２６と捕塵ブラシ２３とを同じ方向に向けて配置することももちろん可能である。さらに、図示のペット用ブラシ兼用清掃具１においては、第一の開口２１ｂが設けられている面と第二の開口２１ｃが設けられている面とが互いに逆となっているが、同じ面に設けるよう構成することももちろん可能である。
【００６１】
（第四の実施形態）
本発明の第四の実施形態に係るペット用ブラシ兼用清掃具を図８および図９に示す。図８は本発明の第四の実施形態に係るペット用ブラシ兼用清掃具の斜視図であり、図９は図８におけるＤ−Ｄ断面を示す断面図である。なお、以下においては、第三の実施形態との相違点を中心に説明し、対応する箇所には同一の符号を付して説明する。
【００６２】
第四の実施形態に係るペット用ブラシ兼用清掃具１もまた、第三の実施形態と同様に、基体２と捕塵ブラシ２３とペット用ブラシ２６とを主要な構成要素としている。基体２は筐体２１と第二の基板２５とから構成されており、第二の基板２５にはペット用ブラシ２６が、筐体２１には除毛ブラシ２７が第三の実施形態と同様に設けられている。しかし、捕塵ブラシ２３は基板に設けられておらず、筐体２１の厚さ方向の一の面である第一ブラシ面２１ｊに設けられている。このとき捕塵ブラシ２３を構成する傾斜パイルの傾斜の方向は、任意に設定することができる。
【００６３】
本実施形態に係るペット用ブラシ兼用清掃具１については、筐体２１を把持して捕塵ブラシ２３でブラッシングすることにより衣服や床などに付着した塵埃を捕集することができる。また、第二の基板２５を引き出してペット用ブラシ２６でペットの毛づくろいをし、その後第二の基体２５を繰り返し出し入れすることによって、ペット用ブラシ２６に付着した抜け毛を内部空間２１ｈに移動させてそこに収容させることができる。
【００６４】
なお、図示のペット用ブラシ兼用清掃具１においては、ペット用ブラシ２６が設けられている第二ブラシ面２５ａと捕塵ブラシ２３が設けられている第一ブラシ面２１ｊとが逆向きに配置されている。このように配置すると、ペット用ブラシ２６でブラッシングする際に捕塵ブラシ２３が邪魔になることがない。しかし、ペット用ブラシ２６と捕塵ブラシ２３とを同じ方向に向けて配置することももちろん可能である。
【符号の説明】
【００６５】
１  ペット用ブラシ兼用清掃具
２  基体
２１  筐体
２１ａ  内部空間（空間）
２１ｂ  第一の開口
２１ｃ  第二の開口
２１ｄ  排塵口
２１ｅ  蓋
２１ｆ  排塵口
２１ｇ  蓋
２１ｈ  内部空間（空間）
２１ｉ  隔壁
２１ｊ  第一ブラシ面
２１ｋ  第二ブラシ面
２１ｌ  第三ブラシ面
２１ｍ  第四ブラシ面
２２  第一の基板
２２ａ  第一ブラシ面
２２ｂ  第二ブラシ面
２２ｃ  突起
２３  捕塵ブラシ
２４  除塵ブラシ
２５  第二の基板
２５ａ  第二ブラシ面
２６  ペット用ブラシ
２７  除毛ブラシ
Ｄ  塵埃
【図１】
2011156169.tif 000003
【図２】
2011156169.tif 000004
【図３】
2011156169.tif 000005
【図４】
2011156169.tif 000006
【図５】
2011156169.tif 000007
【図６】
2011156169.tif 000008
【図７】
2011156169.tif 000009
【図８】
2011156169.tif 000010
【図９】
2011156169.tif 000011